(57)【要約】【課題】筋肉の凝りを効果的にほぐすことが可能な指圧代用器を提供する。【解決手段】背もたれ部１０と、前記背もたれ部１０の表面に突設された突起３０と、を有し、前記突起３０が、前記背もたれ部１０の表面のうち使用者の腸骨の上端より上方であって肩甲骨の下端より下方に配される領域Ｓにおいて使用者の脊柱の左右両側の少なくともいずれか一方に設けられているものである。【選択図】図２
2019024889.tif 000002
【特許請求の範囲】
【請求項１】
背もたれ部と、
前記背もたれ部の表面に突設された突起と、を有し、
前記突起が、前記背もたれ部の表面のうち使用者の腸骨の上端より上方であって肩甲骨の下端より下方に配される領域において使用者の脊柱の左右両側の少なくともいずれか一方に設けられている指圧代用器。
【請求項２】
前記背もたれ部が、前記突起を保持する保持部を有し、
前記保持部が、弾力性を有するクッション部を有し、
前記クッション部には、表面から裏側に向かって孔部が設けられ、
前記突起が、前記孔部に挿入された軸部を備えている請求項１に記載の指圧代用器。
【請求項３】
前記背もたれ部が、前記突起を保持する保持部を有し、
前記保持部が、弾力性を有するクッション部と、前記クッション部の裏面側に配されて前記突起が押圧されることにより弾性的に撓む可撓部と、を備えている請求項１または請求項２に記載の指圧代用器。
【発明の詳細な説明】
【技術分野】
【０００１】
本発明は、指圧代用器に関する。
【背景技術】
【０００２】
従来、指圧により、血行を促進し、筋肉の凝りをほぐして疲労を回復させるといった種々の効果がもたらされることが知られている。指圧代用器は、手指の代わりとして用いられるものであり、多様な形態のものがある。
【０００３】
例えば下記特許文献１に記載された指圧代用器は、使用者の上半身のほぼ全体を支持する背もたれを有し、背もたれの表面に複数の突起部が設けられている。突起部は、背もたれの上端から下端にわたり、縦方向に並んで設けられ、使用者の頚椎、胸椎、腰椎の両側の筋肉に指圧マッサージを施す。これにより、使用者の首から腰にわたる筋肉がほぐされ、疲労回復がなされる。
【先行技術文献】
【特許文献】
【０００４】
【特許文献１】特開２０１５−５８３４０号公報
【発明の概要】
【発明が解決しようとする課題】
【０００５】
しかしながら、上記のような構成では、突起部が使用者の肩甲骨に当たりやすい。突起部が、筋肉ではなく使用者の肩甲骨に当たると、使用者は、筋肉が十分に押圧されていないと感じ、突起部に筋肉を強く当てようとして、姿勢を様々に変化させることがある。使用者の姿勢が、筋肉が緊張した悪い姿勢になってしまうと、筋肉の凝りを効果的にほぐすことが難しいという問題がある。
【０００６】
本発明は上記のような事情に基づいて完成されたものであって、筋肉の凝りを効果的にほぐすことが可能な指圧代用器を提供することを目的とする。
【課題を解決するための手段】
【０００７】
本発明の指圧代用器は、背もたれ部と、前記背もたれ部の表面に突設された突起と、を有し、前記突起が、前記背もたれ部の表面のうち使用者の腸骨の上端より上方であって肩甲骨の下端より下方に配される領域において使用者の脊柱の左右両側の少なくともいずれか一方に設けられているものである。
【発明の効果】
【０００８】
本発明によれば、突起が、腸骨、肩甲骨及び脊柱ではなく、背中の筋肉に確実に当たるから、使用者は、突起部に筋肉を当てようとして、姿勢を様々に変化させる必要がない。したがって、使用者はリラックスした姿勢を保持することができ、筋肉の凝りを効果的にほぐすことができる。
【図面の簡単な説明】
【０００９】
【図１】本実施例における指圧代用器であって、使用者が座った状態を示す断面図
【図２】人の身体に対する突起の配置を示す概略図
【図３】指圧代用器を示す正面図
【図４】指圧代用器を示す平面図
【図５】指圧代用器を示す分解斜視図
【図６】指圧代用器を示す断面図であって、図３のＡ−Ａ位置における断面に相当する断面図
【図７】指圧代用器の保持部を示す一部拡大断面図であって、図６の一点鎖線で囲まれた部分を拡大した断面図
【図８】指圧代用器を示す断面図であって、図３のＢ−Ｂ位置における断面に相当する断面図
【発明を実施するための形態】
【００１０】
本発明の好ましい形態を以下に示す。
本発明の指圧代用器は、前記突起が、上下方向に複数並んで設けられているものとしてもよい。このような構成によれば、複数の突起が、使用者の脊柱起立筋の広範囲に当たるから、より効果的に筋肉の凝りをほぐすことができる。
【００１１】
また、本発明の指圧代用器は、前記複数の突起が、前記領域内の上側に配される小型突起と、前記領域内の下側に配されて前記小型突起よりも使用者の背中に接触する接触面積が大きい大型突起と、を備えているものとしてもよい。このような構成によれば、胸腰筋膜は、上端から下方に向かって次第に幅が増す形をしているところ、小型突起が胸腰筋膜の幅が狭い部分に当たり、大型突起が胸腰筋膜の幅が広い部分に当たるから、胸腰筋膜を効果的にほぐすことができる。
【００１２】
また、本発明の指圧代用器は、前記大型突起が、前記小型突起より高い硬度を有しているものとしてもよい。このような構成によれば、大型突起の接触面積が大きくても、使用者に強い体感を与えることができる。
【００１３】
また、本発明の指圧代用器は、前記背もたれ部が、前記突起を保持する保持部を有し、前記保持部が、弾力性を有するクッション部を有し、前記クッション部には、表面から裏側に向かって孔部が設けられ、前記突起が、前記孔部に挿入された軸部を備えているものとしてもよい。このような構成によれば、突起が押圧されることによりクッション部が沈むから、使用者は人の指のような柔らかさを体感することができる。また、例えばクッション部の表面に突起が貼り付けられている場合等には、突起の位置が表裏方向と交差方向にずれてしまう虞があるところ、突起の軸部がクッション部の孔部に挿入されているからそのような位置ずれを低減することができる。
【００１４】
また、本発明の指圧代用器は、前記背もたれ部が、前記突起を保持する保持部を有し、前記保持部が、弾力性を有するクッション部と、前記クッション部の裏面側に配されて前記突起が押圧されることにより弾性的に撓む可撓部と、を備えているものとしてもよい。このような構成によれば、クッション部が人の手指の肉のようにやわらかく、可撓部が人の手指の関節のように撓むから、使用者は、人の手指に似た感触を体感することができる。
【００１５】
また、本発明の指圧代用器は、前記突起が、使用者の背中に接触する柔らかい接触面と、前記接触面よりも硬い芯材とを備えているものとしてもよい。このような構成によれば、接触面が人の手指の皮膚のようにやわらかく、芯材が人の手指の骨のように硬いから、使用者は、人の手指に似た感触を体感することができる。
【００１６】
また、本発明の指圧代用器は、座部を有し、前記座部が、使用者の大腿の左右両側に沿うように隆起する第１隆起部と、左右の大腿の内側に沿うように隆起する第２隆起部とを有する座面を備えているものとしてもよい。このような構成によれば、使用者が正しい位置に座ることを促されるから、突起を正しい位置に当てることができる。
【００１７】
＜実施例＞
以下、本発明を具体化した一実施例について、図１〜図８を参照しつつ詳細に説明する。
本実施例における指圧代用器は、椅子型の指圧代用器であり、背もたれ部１０と、背もたれ部１０の表面に突設された突起３０と、座部５０と、を備えている。本実施例の指圧代用器は、背もたれ付きの椅子（図示せず）に載置されて使用される。指圧代用器は、「日本人の人体寸法データブック２００４−２００６」（社団法人 人間生活工学研究センター）に記載された人体計測データを参考にして寸法設定されている。指圧代用器は、左右対称な形状をなしている。
【００１８】
背もたれ部１０は、突起３０が設けられている背もたれ中心部１１と、背もたれ中心部１１から左右両側に張り出している一対の張出部１２とを備えている。
【００１９】
背もたれ中心部１１は、背もたれ部１０の左右方向（幅方向）における中心に位置し、座部５０に座った状態の使用者の肩の下あたりまで（肩甲骨の上端近傍まで）立ち上がる高さ寸法を有している（図１参照）。背もたれ中心部１１は、使用者の背面に沿うように表裏方向に湾曲した形状をなしている。背もたれ中心部１１の上端部は、左右の張出部１２よりも上方に突出している。背もたれ中心部１１は、張出部１２の張り出し寸法（背もたれ中心部１１からの突出寸法）が最大となる高さ位置において左右方向の幅が若干狭まった形状をなしている（図３参照）。
【００２０】
左右の張出部１２は、背もたれ中心部１１の左右両側縁から斜め前方に突出している（図４参照）。すなわち左右の張出部１２の間隔は、内側（背もたれ中心部１１側）から左右両外側に向かって次第に増している。張出部１２の張り出し寸法は、上端及び下端から上下方向の中心に向かって次第に増している。なお、張出部１２の下端は、背もたれ部１０の下端に至っている。
【００２１】
背もたれ部１０は、適度な弾力性（低反発弾性）を有する材料（例えば低反発のウレタン等）により形成された背もたれ本体１３と、背もたれ本体１３を被覆する背もたれカバー１４とを備えている（図５参照）。背もたれカバー１４は、薄い布地等であり、背もたれ本体１３の表面をカバーする表面背もたれカバー１５と、背もたれ本体１３の裏面をカバーする裏面背もたれカバー１６とを備えている。表面背もたれカバー１５の裏面、及び裏面背もたれカバー１６の表面には図示しない弾性部材（スポンジ等）が接着されている。なお、表面背もたれカバー１５は、背もたれ本体１３に接着されている。
【００２２】
突起３０は、背もたれ部１０の表面のうち使用者の骨（肩甲骨、脊柱、骨盤）に当たらない特定の領域Ｓに設けられている。領域Ｓは、図１及び図２に示すように、肩甲骨の下端より下方に配される領域であって使用者の脊柱の左右両側に配される領域であり、かつ使用者の腸骨の上端より上方に配される領域である。
【００２３】
突起３０は、脊柱の左右両側に配される部分に、上下方向に複数（本実施例では４つ）ずつ並んで設けられている。突起３０の数は、領域Ｓ内に配置可能で、かつ所定の押圧力を使用者に与えることが可能な数とされている。左右の突起３０の高さ位置は揃えられ、左右の突起３０の間には、所定の間隔があけられている。突起３０と脊柱との間は、所定の距離離れるようになっている。本実施例では、突起３０は、脊柱の幅方向における中心（棘突起）から約４５．５ｍｍ離れるように設定されている。
【００２４】
複数の突起３０は、領域Ｓ内の上側に配される小型突起３１と、領域Ｓ内の下側に配される大型突起３２とを備えている。大型突起３２は、小型突起３１よりも使用者の背中に接触する接触面積が大きいものである。また、大型突起３２は、小型突起３１より高い硬度を有している。大型突起３２は、複数の突起３０において最下端となる位置に配され、張出部１２のうち最も大きく張り出している高さ位置とほぼ同じ高さ位置に配されている。
【００２５】
突起３０は、図７に示すように、後述する孔部２２に挿入される軸部３３と、突起３０の取り付け状態において背もたれ部１０の表面から突出する突起本体３４とを備えている。軸部３３の挿入方向における前端（裏端）には、軸部３３が孔部２２に挿入されることにより、孔部２２の周縁部に係止する係止部３５が設けられている。大型突起３２と小型突起３１とは、全長の寸法及び軸部３３の径寸法が同じとされている。
【００２６】
突起本体３４は、丸いドーム形状をなし、接触面３６から係止部３５側へ向かって次第に径寸法が増している。突起本体３４の径寸法は、孔部２２の径寸法より大きく、突起本体３４は、孔部２２の周縁部に表側から係止する。大型突起３２の突起本体３４の径寸法は、小型突起３１の突起本体３４の径寸法より大きくされている。
【００２７】
突起本体３４は、軸部３３との間に間隔を有して軸部３３の先端に被さる形態をなしている。突起本体３４の張り出し端（裏端）は、突起３０の取り付け状態において背もたれ部１０の表面に近接、当接または若干食い込んでいる。突起本体３４の軸方向の寸法（突起３０を背もたれ部１０に取り付けた状態における背もたれ部１０の表面から接触面３６までの高さ寸法ｈ）は、人の親指の全体（腹から爪まで）の厚さ寸法に相当する寸法とされている。大型突起３２と小型突起３１とは、突起本体３４の高さ寸法ｈが同じとされている。
【００２８】
突起３０は、使用者の背中に接触する柔らかい接触面３６と、接触面３６よりも硬い芯材３７とを備えている。接触面３６は、柔らかい弾性材料（シリコンゴム等）により形成され、芯材３７は、硬い樹脂材料（ポリプロピレン等）により形成されている。大型突起３２の接触面３６は、小型突起３１の接触面３６より高い硬度の材料が用いられている。小型突起３１の接触面３６の面積は、親指の腹の面積に対応している。接触面３６は、平らに近い（背もたれ部１０の表面に略平行な）面となっている。
【００２９】
接触面３６は、突起本体３４の表面に沿って設けられた被覆部３８によって構成されている。被覆部３８は、芯材３７の頭部（芯材３７のうち背もたれ部１０の表面から突出して突起本体３４の一部を構成する部分）３９に被せ付けられている。被覆部３８は、頭部３９の表面全体及び裏側の端面を覆っている。被覆部３８は、接触面３６を形成する部分（以後、接触部４１と称する）の厚さ寸法ｔが最も大きくされている（図７参照）。接触部４１の厚さ寸法ｔは、人の親指の腹側の皮下組織（腹から骨まで）の厚さ寸法に相当する寸法とされている。大型突起３２の接触部４１と小型突起３１の接触部４１とは厚さ寸法ｔが同じとされている。被覆部３８のうち接触部４１を除く部分（頭部３９の側面を覆う部分）は薄くされている。
【００３０】
芯材３７は、形状保持性の高い（容易に形状が変形しない）材料により形成され、突起３０のうち被覆部３８を除く他の部分を構成している。すなわち芯材３７は、軸部３３と頭部３９とを備えている。
【００３１】
背もたれ部１０は、図６に示すように、突起３０を保持する保持部１７を有している。保持部１７は、背もたれ中心部１１に設けられている。保持部１７は、すべての突起３０を一括して保持している。保持部１７は、弾力性を有するクッション部１８と、クッション部１８の裏面側に配された可撓部１９と、を備えている。クッション部１８の厚さ寸法は、全ての突起３０の位置において均一とされている。
【００３２】
クッション部１８は、背もたれ本体１３の一部分であり、可撓部１９は、背もたれ本体１３とは別体のものである。背もたれ本体１３の背面には可撓部１９が嵌合される嵌合凹部２１が設けられている。可撓部１９は、背もたれ本体１３の嵌合凹部２１にほぼ隙間なく嵌合する。嵌合凹部２１に嵌合した状態の可撓部１９の裏面と、背もたれ本体１３の裏面とは面一になっている。
【００３３】
クッション部１８には、図７に示すように、表面から裏側に向かって孔部２２が貫通形成されている。孔部２２は、突起３０と同数が設けられている。孔部２２は、突起３０の配置にあわせて上下方向に２列に並んで設けられている。孔部２２は円形状をなしている。すべての孔部２２の径寸法は同じとされている。
【００３４】
可撓部１９は、クッション部１８または後述する座部５０よりも高い硬度を有する材料により形成されている。可撓部１９は、例えばクッション部１８よりも高反発な弾性を有する材料（ウレタンフォーム等）により形成されている。可撓部１９は、全体として、略方形の厚い板状をなし、表裏方向に撓み可能とされている。可撓部１９の厚さ寸法は、クッション部１８の厚さ寸法より大きく、突起３０に作用する荷重によって突起３０が裏方に変位する量より大きい寸法とされている。
【００３５】
可撓部１９には、突起３０と同数の貫通穴２３が設けられている。貫通穴２３は、可撓部１９が嵌合凹部２１に取り付けられた状態でクッション部１８の孔部２２と表裏方向に連通する位置に配されている。貫通穴２３は、孔部２２と同様、円形状をなし、すべての貫通穴２３の径寸法は同じとされている。貫通穴２３の径寸法は、孔部２２の径寸法より大きくされている。
【００３６】
クッション部１８の孔部２２と可撓部１９の貫通穴２３との間には、軸部３３の係止部３５が係止する被係止部２４が設けられている。被係止部２４は、クッション部１８より硬い合成樹脂製であって、中心に軸部３３が貫通する孔を有するワッシャ形状をなしている。被係止部２４は、クッション部１８の裏面または可撓部１９の表面に接着されている。突起３０の軸部３３は、クッション部１８の孔部２２及び被係止部２４の孔を貫通して被係止部２４の裏面に係止する。これにより、突起３０の抜け止めがなされる。なお、突起３０の係止部３５は貫通穴２３に収納されている。
【００３７】
背もたれ部１０には、指圧機能を有しない突起（以後、ダミー突起２５と称する）が設けられている。ダミー突起２５は、背もたれ本体１３の一部であり、突起３０より柔らかで容易に変形する。ダミー突起２５は、突起３０より一回り大きい形状とされて、背もたれ部１０の下部に複数（本実施例では４つ）が設けられている。複数のダミー突起２５は、突起３０の下方に、突起３０と列をなして並んでいる。ダミー突起２５により、背もたれ部１０に形成された突起の総数が増すため、使用者に対し、広範囲にわたって指圧される印象（指圧効果が高そうな印象）を与えることができる。
【００３８】
座部５０は、使用者の臀部や大腿に沿う形状をなす座面５１を備えている。座面５１は、使用者の大腿の左右両側に沿うように隆起する第１隆起部５２と、左右の大腿の内側に沿うように隆起する第２隆起部５３とを有している。
【００３９】
第１隆起部５２は、座面５１の左右両側縁に沿って設けられている。第１隆起部５２は、第２隆起部５３より上方に隆起している（図３参照）。第１隆起部５２の上端は、前後方向における略中心が最も高い位置に至っている（図６参照）。
【００４０】
第２隆起部５３は、座面５１の左右方向における中心部に設けられている。第２隆起部５３の上端は、座面５１の前端において最も高い位置に配され、座面５１の後方に向かって次第に下がっている（図１参照）。第２隆起部５３は、臀部に沿うように緩やかに湾曲している。
【００４１】
第１隆起部５２と第２隆起部５３との間には、窪み部５４が形成されている。左右の窪み部５４は、それぞれが使用者の左右の大腿に沿うように湾曲している。なお、座部５０は、後端より前端が幅広となっている。
【００４２】
座部５０は、背もたれ部１０よりも高い硬度の材料で形成されている。座部５０は、適度な弾力性（低反発弾性）を有する材料（例えば低反発のウレタン等）により形成された座部本体５５と、座部本体５５を被覆する座部カバー５６とを備えている。座部カバー５６は、薄い布地等であり、座部本体５５の表面をカバーする表面座部カバー５７と、座部本体５５の裏面をカバーする裏面座部カバー５８とを備えている。表面座部カバー５７の裏面及び裏面座部カバー５８の表面には図示しない弾性部材（スポンジ）が接着されている。なお、表面座部カバー５７は、座部５０に接着されている。
【００４３】
背もたれ部１０と座部５０とは別体に形成され、図１等に示すように、接合部６０により接合されている。接合部６０は、背もたれ部１０の下端と座部５０の後端とを接合している。接合部６０は、例えば背もたれカバー１４の下端と座部カバー５６の後端とに縫製されたファスナー等である。指圧代用器は、接合部６０の位置において、背もたれ部１０の表面と座部５０の座面５１とが接するように折りたたんで収納することができる。
【００４４】
次に、本実施例の指圧代用器を使用する場合の一例について説明する。
まず、指圧代用器を使用したい場所に運ぶ。このとき、指圧代用器を折りたたんで、容易に持ち運ぶことができる。そして、指圧代用器を背もたれ付き椅子の座面に載置する。指圧代用器の背もたれ部１０は、椅子の背もたれに支持されて、椅子の背もたれに沿って立ち上がった状態になる。
【００４５】
次いで、使用者が指圧代用器に着座する。使用者は、膝を曲げて座部５０に腰をおろす。ここで、使用者の腰部が座面５１に対して正しい位置から左方または右方にずれている場合には、大腿部が第１隆起部５２または第２隆起部５３の上に当接し、座り心地が悪いと感じる。このため、使用者は、大腿部が窪み部５４におさまる正しい位置（指圧代用器の幅方向における中央）に座るよう導かれる。使用者が正しい位置に着座した状態では、座面５１が左右バランスよく沈み、体圧がバランスよく分散される。また、正しい位置に着座した使用者の腰部は、第１隆起部５２及び第２隆起部５３により左右方向の位置ずれが規制される。
【００４６】
使用者が背もたれ部１０にもたれると、突起３０が使用者の背中の所定の位置に当接する。ここで、使用者が、正しい位置から左方または右方にずれた位置に着座している場合には、突起３０が、狙った位置からずれた位置に当たる虞があるところ、使用者が正しい位置に着座しているから、突起３０は狙った位置に当接する。
【００４７】
また、使用者が背もたれ部１０にもたれると、左右の張出部１２が、使用者の胴体の左右両側に配される。これにより、使用者の胴体が左右に倒れたり、左右に向いたりすることが防止される。そして、仮に使用者が身体を左右に動かしたとしても、左右の張出部１２により、大きな動きが制限される。したがって、突起３０が背骨に当たることを防ぐことができる。
【００４８】
突起３０は脊柱起立筋に当接し、緊張している筋肉を効果的にほぐす。また、突起３０は、脊柱の左右両側に縦方向に延びる膀胱経のラインに当接し、膀胱経を効果的にマッサージする。さらに、小型突起３１が胸腰筋膜（図２に二点鎖線で示した三角形の部分）の幅が狭い部分に当接し、大型突起３２が胸腰筋膜の幅が広い部分に当接するから、胸腰筋膜を広い範囲にわたって効果的にマッサージする。
【００４９】
突起３０が使用者の背中に押圧されると、クッション部１８が弾性的に沈む。このとき、突起本体３４はクッション部１８の表面に食い込み、軸部３３は裏側に変位する。変位した軸部３３は、背もたれ本体１３の後側に突出することなく貫通穴２３におさまっている。また、クッション部１８の厚さ寸法がすべての突起３０の位置において等しいため、突起３０の沈み量は同等になり、体感がばらつくことを防ぐことができる。
【００５０】
可撓部１９は、クッション部１８に作用する荷重により、弾性的に撓む。可撓部１９の弾性復元力により、クッション部１８の過度な沈み込みが防がれるとともに、突起３０に反発力が付与され、使用者の背中が好適に押圧される。
【００５１】
突起３０の接触面３６は親指の皮膚のように柔らかく、芯材３７は親指の骨のように固い。また、クッション部１８は親指の脂肪のように柔らかく、可撓部１９は親指の関節のように撓む。すなわち、突起３０および突起３０を保持する保持部１７が、弾性変形の仕方（性質）が異なる４つの異種材料によって形成され、人の親指の皮膚、脂肪、骨、関節が再現されているから、使用者は、人の親指による指圧に似た体感を得ることができる。
こうして、使用者は、指圧代用器により効果的にマッサージされ、血行を促進し、筋肉の凝りをほぐして疲労を回復させるといった種々の効果がもたらされる。
【００５２】
次に、上記のように構成された実施例の作用および効果について説明する。
本実施例の指圧代用器は、背もたれ部１０と、背もたれ部１０の表面に突設された突起３０と、を有し、突起３０が、背もたれ部１０の表面のうち使用者の肩甲骨の下端より下方に配される領域Ｓであって使用者の脊柱の左右両側に配される領域Ｓに少なくとも１ずつ設けられているものである。この構成によれば、突起３０が、肩甲骨及び脊柱ではなく、背中の筋肉に確実に当たるから、使用者は、突起３０に筋肉を当てようとして、姿勢を様々に変化させる必要がない。したがって、使用者はリラックスした姿勢を保持することができ、筋肉の凝りを効果的にほぐすことができる。
【００５３】
また、突起３０が、背もたれ部１０の表面のうち使用者の腸骨の上端より上方に配される領域Ｓに設けられている。この構成によれば、突起３０が腸骨に当たることを防ぐことができるから、より安全性を高めることができる。
【００５４】
また、突起３０が、上下方向に複数並んで設けられている。この構成によれば、複数の突起３０が、使用者の脊柱起立筋の広範囲に当たるから、より効果的に筋肉の凝りをほぐすことができる。
【００５５】
また、複数の突起３０が、領域Ｓ内の上側に配される小型突起３１と、領域Ｓ内の下側に配されて小型突起３１よりも使用者の背中に接触する接触面３６積が大きい大型突起３２と、を備えている。この構成によれば、胸腰筋膜は、上端から下方に向かって次第に幅が増す形をしているところ、小型突起３１が胸腰筋膜の幅が狭い部分に当たり、大型突起３２が胸腰筋膜の幅が広い部分に当たるから、胸腰筋膜を効果的にほぐすことができる。
【００５６】
また、大型突起３２が、小型突起３１より高い硬度を有している。この構成によれば、大型突起３２の接触面３６積が大きくても、使用者に強い体感を与えることができる。
【００５７】
また、背もたれ部１０が、突起３０を保持する保持部１７を有し、保持部１７が、弾力性を有するクッション部１８を有し、クッション部１８には、表面から裏側に向かって孔部２２が設けられ、突起３０が、孔部２２に挿入された軸部３３を備えている。この構成によれば、突起３０が押圧されることによりクッション部１８が沈むから、使用者は人の指のような柔らかさを体感することができる。また、例えばクッション部の表面に突起が貼り付けられている場合等には、クッション部の変形によって突起の位置が表裏方向と交差方向にずれてしまう虞があるところ、突起３０の軸部３３がクッション部１８の孔部２２に挿入されているからそのような位置ずれを防ぐことができる。
【００５８】
また、保持部１７が、弾力性を有するクッション部１８と、クッション部１８の裏面側に配されて突起３０が押圧されることにより弾性的に撓む可撓部１９と、を備えている。この構成によれば、クッション部１８が人の手指の肉のようにやわらかく、可撓部１９が人の手指の関節のように撓むから、使用者は、人の手指に似た感触を体感することができる。
【００５９】
また、突起３０が、使用者の背中に接触する柔らかい接触面３６と、接触面３６よりも硬い芯材３７とを備えている。この構成によれば、接触面３６が人の手指の皮膚のようにやわらかく、芯材３７が人の手指の骨のように硬いから、使用者は、人の手指に似た感触を体感することができる。
【００６０】
また、座部５０を有し、座部５０が、使用者の大腿の左右両側に沿うように隆起する第１隆起部５２と、左右の大腿の内側に沿うように隆起する第２隆起部５３とを有する座面５１を備えている。この構成によれば、使用者が正しい位置に座ることを促されるから、突起３０を正しい位置に当てることができる。
【００６１】
＜他の実施例＞
本発明は上記記述及び図面によって説明した実施例に限定されるものではなく、例えば次のような実施例も本発明の技術的範囲に含まれる。
（１）上記実施例では、突起３０が上下方向に複数並んで設けられているが、これに限らず、突起は、脊柱の左右両側に少なくとも１ずつ設けられていればよい。
（２）上記実施例では、突起３０が小型突起３１と大型突起３２とを備えているが、これに限らず、突起は、すべての大きさが同じであってもよい。
（３）上記実施例では、突起３０が小型突起３１と大型突起３２とを備えているが、これに限らず、突起の大きさを段階的に変えてもよく、例えば、小型、中型、大型の突起を備えていてもよい。
（４）上記実施例では、最下端の突起３０のみが大型突起３２とされているが、これに限らず、大型突起の数は任意に変更することができる。
（５）上記実施例では、保持部１７がクッション部１８を有しているが、これに限らず、保持部を硬い材料のみで形成してもよい。
（６）上記実施例では、突起３０の軸部３３がクッション部１８の孔部２２に挿入されることにより突起３０が固定されているが、これに限らず、例えば突起は背もたれ本体に一体に設けられてもよいし、軸部を有さず接着等により固定されてもよい。
（７）上記実施例では、クッション部１８の孔部２２は、クッション部１８を表裏方向に貫通しているが、これに限らず、孔部は、クッション部の裏面側に貫通していなくてもよい。このような場合には、突起の軸部をクッション部の厚さ方向の中間に係止させてもよい。
（８）上記実施例では、保持部１７がクッション部１８と可撓部１９とを備えているが、これに限らず、保持部を一の材料で形成してもよい。
（９）上記実施例では、可撓部１９が背もたれ本体１３の裏面に形成された嵌合凹部２１に嵌合されているが、これに限らず、例えば可撓部は背もたれ本体の裏面全体を覆う大きさを有して背もたれ本体の裏面に接着等されていてもよい。
（１０）上記実施例では、クッション部１８が背もたれ本体１３の一部によって構成されているが、これに限らず、例えばクッション部は背もたれ本体とは別体に形成されて、背もたれ本体に嵌め込まれたものであってもよい。
（１１）上記実施例では、突起３０が接触面３６と接触面３６よりも硬い芯材３７とを備えているが、これに限らず、突起を一の材料で形成してもよく、また、突起は金属製であってもよい。
（１２）上記実施例では、座部５０の座面５１に第１隆起部５２及び第２隆起部５３が形成されているが、必ずしもこれらを形成しなくてもよい。
（１３）上記実施例では、指圧代用器が座部５０を備えているが、必ずしも座部を備えなくてもよい。
（１４）上記実施例では、本発明を背もたれ付きの椅子に載置されて使用される指圧代用器に適用した場合を例示したが、これに限らず、単体で使用できる、すなわち背もたれ部が座部に対して所定の角度で自立可能な指圧代用器にも適用することができる。
（１５）上記実施例では、突起３０が、脊柱の左右両側に設けられているが、これに限らず、突起は、脊柱の左右両側のいずれか一方のみに配されていてもよい。
【符号の説明】
【００６２】
Ｓ…領域
１０…背もたれ部
１７…保持部
１８…クッション部
１９…可撓部
２２…孔部
３０…突起
３３…軸部
【図１】
2019024889.tif 000003
【図２】
2019024889.tif 000004
【図３】
2019024889.tif 000005
【図４】
2019024889.tif 000006
【図５】
2019024889.tif 000007
【図６】
2019024889.tif 000008
【図７】
2019024889.tif 000009
【図８】
2019024889.tif 000010